(57)【要約】      （修正有）【課題】室内空間のパーテーション機能を発揮し得るとともに、各種物品の懸架機能を兼備する有孔ボード付きパーテーションを提供する。【解決手段】下部パイプ２１、上部パイプ３１、及び、突っ張り連結具の連結構成からなる２本のポールセットと、２本の連結ポール５１と、３枚の有孔ボード３と、２個構成で下面に滑り止め用のゴムを付けた下部固定盤１１と、２個構成で上面に滑り止め用のゴムを付けた上部固定盤６１と、２個の突っ張り連結具における操作領域に着脱させる２個の固定ピンと、２個の突っ張り連結具に着脱させる２個の安全ボルトと、内径２８ｍｍの２個のホルダー７１と、内径２５ｍｍの１０個のホルダー７１と、６個のリングと、を用いてパーテーション１を組み立てる構成とした。【選択図】図１
0003227376.tif 000002
【実用新案登録請求の範囲】
【請求項１】
天井と床との間に、突っ張り構造で、かつ、長さ間隔調整或いは設置高さ調整可能に設置するように構成した２本の支持支柱と、
当該２本の支持支柱にわたって取り付けられ、各種物品を懸架可能に構成した有孔ボードと、
を有することを特徴とする有孔ボード付きパーテーション。
【請求項２】
床面に当接させる下部固定盤と、
この下部固定盤に下端側を装着する下部パイプと、前記下部パイプの上部に配置されるとともに、下端側を前記下部パイプの上部内に摺動可能に嵌装し、上部側を前記下部パイプの上部側から上方に突出させる上部パイプと、前記下部パイプの上部とこの下部パイプの上部から上方に突出させる上部パイプとにわたって配置され、突っ張り操作、又は突っ張り解除操作により前記下部パイプに対する上部パイプの突出長を調整可能とし、又は前記下部パイプに対して上部パイプを固定する突っ張り連結具と、前記上部パイプの上端側に下端側を装着する連結ポールと、前記連結ポールの上端側に配置され上端面を天井面に当接させる上部固定盤と、
前記下部パイプ、上部パイプ及び連結ポールの各外周に嵌着した有孔ボードネジ取り付け用の所要数のホルダーと、前記下部パイプ、上部パイプ及び連結ポールの各外周に嵌着した前記各ホルダーの位置決めを行うリングと、
を具備し、
前記床面と天井面との間に、長さ間隔調整或いは設置高さ調整可能に設置できるように構成した２本の支持支柱と、
前記２本の支持支柱にわたって各支持支柱の前記ホルダーに取り付けられ、各種物品を懸架可能に構成した平面形態のパーテーション用の有孔ボードと、
を有することを特徴とする有孔ボード付きパーテーション。
【請求項３】
前記突っ張り構造の２本の支持支柱における突っ張り連結具は、ワンタッチ式、又はポール回転式で下部パイプに対する上部パイプの摺動位置調整、或いは摺動位置固定を行うようにした構成であることを特徴とする請求項２記載の有孔ボード付きパーテーション。
【請求項４】
前記突っ張り構造の２本の支持支柱における突っ張り連結具は、下部パイプ、上部パイプ間に設ける他、上部パイプ、連結ポール間に設けることも可能であることを特徴とする請求項２記載の有孔ボード付きパーテーション。
【請求項５】
前記有孔ボードは、金属板製又は木板製で径が数ｍｍの多数の孔を開けたものであることを特徴とする請求項１乃至４のいずれか１項に記載の有孔ボード付きパーテーション。
【請求項６】
前記ホルダーは、前記支持支柱を任意の高さに固定できると同時に、前記有孔ボードを支持支柱に固定できるように構成したものであることを特徴とする請求項１乃至５のいずれか１項に記載の有孔ボード付きパーテーション。
【請求項７】
前記２本の支持支柱は、全長や配置向きの調整も自在であることを特徴とする請求項１乃至６のいずれか１項に記載の有孔ボード付きパーテーション。
【請求項８】
前記有孔ボードは、平面視長方形状で、広幅間隔に設置した２本の支持支柱にわたって横向きワイドに、又は狭幅間隔に設置した２本の支持支柱にわたって縦向きスリムに取り付け可能であることを特徴とする請求項１乃至７のいずれか１項に記載の有孔ボード付きパーテーション。
【考案の詳細な説明】
【技術分野】
【０００１】
本考案は、有孔ボード付きパーテーションに関し、詳しくは、室内空間のパーテーション機能を発揮し得るとともに、各種物品の懸架機能を兼備する有孔ボード付きパーテーションに関するものである。
【背景技術】
【０００２】
従来、パーテーションの用途等に使用する通常の木板、又は合成樹脂板製の有孔ボードは、壁等に直接設置しなければならず、壁等に孔を開けてボルト止め等をするのが主流であった。
【０００３】
このような構成の場合、賃貸オフィスや賃貸住宅等の住環境の場合は、壁等に孔を開けるのは壁面の損傷等の見地から抵抗があり、これを設置すること自体に自由度が低いというデメリットがあった。
【０００４】
そして、室内空間のパーテーション用途としては、突っ張り棒と有孔ボードとの組み合わせも考えられるが、このような構成の有孔ボード付きパーテーションは従来見当たらないのが現状である。
【０００５】
特許文献１は、本願出願人が先に提案し実用新案登録を取得した伸縮式突っ張りポール具であって、当該特許文献1には、第１ポールと、第１ポール内に嵌装可能な第２ポールと、第１ポールの上端側を装着するとともに、第２ポールの連結固定・解放を行い、第２ポールを伸縮調節可能とする伸縮調節体と、を有し、伸縮調節体は、第２ポールの下端側が嵌装される上部筒体と、上部筒体の下部内に一体的に連結され下方から第１ポールの上端側を装着するとともに上部筒体内に位置する上端部を傾斜部とした下部筒体と、を具備する伸縮調節体本体と、スライド操作体受部と、操作突片を備えるスライド操作体と、圧着環状体と、ガイド筒体と、圧着環状体、ガイド筒体及びスライド操作体に下部筒体側への弾力を付与するコイルスプリングと、を具備するポール圧着・解放部と、を有し、連結するポール同士の伸縮調節がワンタッチ動作で簡略容易であり、耐久性にも優れた伸縮式突っ張りポール具が開示されている。
【先行技術文献】
【特許文献】
【０００６】
【特許文献１】登録実用新案第３２１２６３７号公報
【考案の概要】
【考案が解決しようとする課題】
【０００７】
本考案は、従来における上記事情に鑑み創作されたもので、特許文献１の突っ張り構造の支持支柱の技術を踏まえ、例えば特許文献１の突っ張り構造をはじめとする各種突っ張り構造の支持支柱を利用した突っ張り構造の支持支柱と、有孔ボードとを組み合わせ、室内空間のパーテーション機能を発揮し得るとともに、各種物品の懸架機能を兼備する有孔ボード付きパーテーションを提供するものである。
【課題を解決するための手段】
【０００８】
本考案に係る有孔ボード付きパーテーションは、天井と床との間に、例えば特許文献１の突っ張り構造をはじめとする各種突っ張り構造で、かつ、長さ間隔調整或いは設置高さ調整可能に設置するように構成した２本の支持支柱と、当該２本の支持支柱にわたって取り付けられ、各種物品を懸架可能とした有孔ボードと、を有することを最も主要な特徴とする。
【考案の効果】
【０００９】
請求項１記載の考案によれば、突っ張り構造の２本の支持支柱と、有孔ボードとを組み合わせ、室内空間のパーテーション機能を発揮し得るとともに、各種物品の懸架機能を兼備する有孔ボード付きパーテーションを実現し提供することができる。
【００１０】
請求項２記載の考案によれば、２本の支持支柱を各々、床面に当接させる下部固定盤と、この下部固定盤に下端側を装着する下部パイプと、前記下部パイプの上部に配置されるとともに、下端側を前記下部パイプの上部内に摺動可能に嵌装し、上部側を前記下部パイプの上部側から上方に突出させる上部パイプと、前記下部パイプの上部とこの下部パイプの上部から上方に突出させる上部パイプとにわたって配置され、突っ張り操作、又は突っ張り解除操作により前記下部パイプに対する上部パイプの突出長を調整可能とし、又は前記下部パイプに対して上部パイプを固定する突っ張り連結具と、前記上部パイプの上端側に下端側を装着する連結ポールと、前記連結ポールの上端側に配置され上端面を天井面に当接させる上部固定盤と、前記下部パイプ、上部パイプ及び連結ポールの各外周に嵌着した有孔ボードネジ取り付け用であって前記支持支柱を任意の高さに固定できると同時に前記有孔ボードを固定できる所要数のホルダーと、前記下部パイプ、上部パイプ及び連結ポールの各外周に嵌着した前記各ホルダーの位置決めを行うリングと、を具備し、前記床面と天井面との間に長さ間隔調整或いは設置高さ調整可能に設置するように構成し、前記２本の支持支柱にわたって前記ホルダーに取り付けられ、各種物品を懸架可能とした平面形態のパーテーション用の有孔ボードを有する構成として、前記２本の支持支柱と、有孔ボードとを組み合わせて、室内空間のパーテーション機能を発揮し得るとともに、各種物品の懸架機能を兼備する有孔ボード付きパーテーションを実現し提供することができる。
【００１１】
請求項３記載の考案によれば、請求項２記載の考案と同様な効果を奏し、前記突っ張り構造の２本の支持支柱における突っ張り連結具は、ワンタッチ式、又はポール回転式で下部パイプに対する上部パイプの摺動位置調整、或いは摺動位置固定を行う構成としているので、突っ張り構造の２本の支持支柱の床面、天井面への設置時の突っ張り操作を簡略容易に行うことができる有孔ボード付きパーテーションを実現し提供することができる。
【００１２】
請求項４記載の考案によれば、請求項２記載の考案と同様な効果を奏し、前記突っ張り構造の２本の支持支柱における突っ張り連結具は、下部パイプ、上部パイプ間に設ける他、上部パイプ、連結ポールのポール径寸法変更等により、上部パイプ、連結ポール間に設けることも可能であり、突っ張り連結具の配置の自由度、２本の支持支柱２の構築の自由度を高めることができる有孔ボード付きパーテーションを実現し提供することができる。
【００１３】
請求項５記載の考案によれば、請求項１乃至４のいずれか１項に記載の考案における前記有孔ボードは、金属板製又は木板製で径が数ｍｍの多数の孔を開けたものあることから、支持支柱に対して有孔ボードを従来例のように壁に穴を開けず設置することができ、壁に穴を開けるとい抵抗感を無くすことができるとともに、各種物品の懸架に便利であり、更に、前記有孔ボードとして、スチール板製のものを採用することもでき、この場合には、フック等に替えて、マグネット盤を用いて前記有孔ボードの面に紙葉類を張り付けることも可能な有孔ボード付きパーテーションを実現し提供することができる。
【００１４】
請求項６記載の考案によれば、請求項１乃至５のいずれか１項に記載の考案における前記ホルダーは、前記支持支柱を任意の高さに固定できる同時に、前記有孔ボードを支持支柱に固定できるように構成したものであるから、有孔ボードを支持支柱に簡易に固定できるとともに、支持支柱を簡易に任意の高さに固定できる有孔ボード付きパーテーションを実現し提供することができる。
【００１５】
請求項７記載の考案によれば、請求項１乃至６のいずれか１項に記載の考案における前記２本の支持支柱は、全長や配置向きの調整も自在であることから、特に前記２本の支持支柱の組み立て時、配置時の自由度を高めることができる記載の考案によれば、有孔ボード付きパーテーションを実現し提供することができる。
【００１６】
請求項８記載の考案によれば、請求項１乃至７のいずれか１項に記載の考案における前記有孔ボードは、平面視長方形状で、広幅間隔に設置した２本の支持支柱にわたって横向きワイドに、又は、狭幅間隔に設置した２本の支持支柱にわたって縦向きスリムに取り付け可能であることから、有孔ボード付きパーテーション自体の配置形態の多様化を図ることができる有孔ボード付きパーテーションを実現し提供することができる。
【図面の簡単な説明】
【００１７】
【図１】図１は本考案の実施例に係る有孔ボード付きパーテーションの組み立て終了状態を示す概略正面斜視図である。
【図２】図２は本実施例に係る有孔ボード付きパーテーションにおける支持支柱単体の概略分解斜視図である。
【図３】図３は本実施例に係る有孔ボード付きパーテーションにおける構成部品一覧を示す概略説明図である。
【図４】図４は本実施例に係る有孔ボード付きパーテーションにおける支持支柱単体の配置基本態様を示す概略説明図である。
【図５】図５は本実施例に係る有孔パーテーションボードにおける支持支柱単体を構成する突っ張り連結具の操作態様を示す概略説明図である。
【図６】図６は本実施例に係る有孔ボード付きパーテーションにおける支持支柱単体を構成する突っ張り連結具を使用した強度を確保するための突っ張り操作態様を示す概略説明図である。
【図７】図７は本実施例に係る有孔ボード付きパーテーションにおける２本の支持支柱を天井面、床面間に所定の間隔で設置した状態を示す概略配置終了図である。
【図８】図８は本実施例に係る有孔ボード付きパーテーションにおける支持支柱単体を構成する突っ張り連結具の突っ張り操作終了時の態様を示す概略説明図である。
【図９】図９は本実施例に係る有孔ボード付きパーテーションにおける設置終了した２本の支持支柱に対する有孔ボードの取り付け態様を示す概略説明図である。
【図１０】図１０は本実施例に係る有孔ボード付きパーテーションにおける設置終了した２本の支持支柱に対する３枚の横長向きの有孔ボードの取り付け状態、及び、最下段の有孔ボードの設置高さ調整可能状態を示す概略説明図である。
【図１１】図１１は本実施例に係る有孔ボード付きパーテーションの変形例である設置終了した２本の支持支柱に対する３枚の縦長向きの有孔ボードの取り付け状態を示す概略説明図である。
【図１２】図１２は本実施例に係る有孔ボード付きパーテーションにおける支持支柱単体の取り外し時の突っ張り連結具に対する操作態様を示す概略説明図である。
【図１３】図１３は本実施例に係る有孔ボード付きパーテーションにおける支持支柱単体の取り外し時の下部ポール、上部ポール、及び、突っ張り連結具に対する操作態様を示す概略説明図である。
【図１４】図１４は本実施例に係る有孔ボード付きパーテーションの具体的使用例を概略写真形態で示す概略説明図である。
【考案を実施するための形態】
【００１８】
本考案は、突っ張り構造の支持支柱と有孔ボードとを組み合わせ、室内空間のパーテーション機能を発揮し得るとともに、各種物品の懸架機能を兼備する有孔ボード付きパーテーションを実現し提供するという目的を、床面に当接させる下部固定盤と、この下部固定盤に下端側を装着する下部パイプと、前記下部パイプの上部に配置されるとともに、下端側を前記下部パイプの上部内に摺動可能に嵌装し、上部側を前記下部パイプの上部側から上方に突出させる上部パイプと、前記下部パイプの上部とこの下部パイプの上部から上方に突出させる上部パイプとにわたって配置され、突っ張り操作、又は突っ張り解除操作により前記下部パイプに対する上部パイプの突出長を調整可能とし、又は前記下部パイプに対して上部パイプを固定する突っ張り連結具と、前記上部パイプの上端側に下端側を装着する連結ボールと、前記連結ボールの上端側に配置され上端面を天井面に当接させる上部固定盤と、前記下部パイプ、上部パイプ及び連結ボールの各外周に嵌着した有孔ボード取り付け用の所要数のホルダー（このホルダーで前記支持支柱を任意の高さに固定すると同時に前記有孔ボードを固定する）と、前記下部パイプ、上部パイプ及び連結ポールの各外周に嵌着した前記各ホルダーの位置決めを行うリングと、を具備し、前記床面と天井面との間に長さ間隔調整或いは設置高さ調整可能に設置するように構成した２本の支持支柱と、前記２本の支持支柱にわたって前記ホルダーに取り付けられ、各種物品を懸架可能とした平面形態のパーテーション用の有孔ボードと、を有する構成により実現した。
【実施例】
【００１９】
以下、図面を参照して、本考案の実施例に係る有孔ボード付きパーテーションについて詳細に説明する。
【００２０】
本実施例に係る有孔ボード付きパーテーション１は、図１、図２に示すように、床面８１と天井面８２との間に、突っ張り構造で、かつ、長さ間隔調整或いは設置高さ調整可能に設置するように構成した突っ張り構造の２本の支持支柱２、２と、当該２本の支持支柱２、２にわたって離隔配置に取り付けられ、詳細は後述するが各種物品を懸架可能とした例えば平面形態或いは平面視四角形状で横長向き配置とした例えば３枚の（その数を限定するものではない）スチール板等の金属板製又は木板製の有孔ボード３と、を有している。
【００２１】
前記有孔ボード３には、略全面にわたって径が数ｍｍ（例えば孔径５ｍｍ）の多数の孔３ａが開けられている。
【００２２】
次に、突っ張り構造の前記支持支柱２単体の構成について図２を参照し具体的に説明する。
【００２３】
本考案に係る有孔ボード付きパーテーション１において、前記突っ張り構造の支持支柱の構成は、以下に示すような実施例、図面に限定するものではなく、要は突っ張り構造の２本の支持支柱２、２にわたって前記有孔ボード３が取り付け可能な突っ張り構造のものであれば良い。
【００２４】
前記支持支柱２は、例えば室内空間を構成する床面８１に当接させる当接部１１ａ及びパイプ受筒部１１ｂを具備する下部固定盤１１と、この下部固定盤１１のパイプ受筒部１１ｂに下端側を装着する例えば外径２８ｍｍの下部パイプ２１と、前記下部パイプ２１の上部に配置されるとともに、下端側を前記下部パイプ２１の上部内に摺動可能に嵌装し、上部側を前記下部パイプ２１の上部側から上方に突出させる例えば外径２５ｍｍの上部パイプ３１と、前記下部パイプ２１の上部とこの下部パイプ２１の上部から上方に突出させる上部パイプ３１とにわたって、これら下部パイプ２１、上部パイプ３１の外周を囲むように配置され、突っ張り操作、又は突っ張り解除操作により前記下部パイプ２１に対する上部パイプ３１の突出長を調整可能とし、又は前記下部パイプ２１に対して上部パイプ３１を固定する例えば特許文献１の伸縮調節体と同様な構成の突っ張り連結具４１と、前記上部パイプ３１の上端側に下端側を装着する例えば外径２５ｍｍの連結ポール５１と、を具備している。
【００２５】
そして、前記支持支柱２は、前記連結ポール５１の上端側に配置され上端面側の当接部６１ａを天井面８２に当接させるとともに、前記当接部６１ａと一体の連結ポール５１用の装着部６１ｂを突出配置した上部固定盤６１と、前記下部パイプ２１、上部パイプ３１及び連結ポール５１の各外周に嵌着した有孔ボード３のネジ取り付け用の所要数の円環状で内径の異なる２種類のホルダー７１（このホルダー７１で前記支持支柱２を任意の高さに固定すると同時に前記有孔ボード３を固定する）と、前記下部パイプ２１、上部パイプ３１及び連結ポール５１の各外周に嵌着した前記各ホルダー７１の位置決めを行う円環状のリング（例えばゴム製のリング）７２と、を具備している。
【００２６】
図２においては、下部パイプ２１の外周に内径２８ｍｍのホルダー７１を１個、リング７２を１個取り付け、上部パイプ３１の外周に内径２５ｍｍのホルダー７１を３個、リング７２を１個取り付け、連結ポール５１の外周に内径２５ｍｍのホルダー７１を２個、リング７２を１個取り付けた例を示している。
【００２７】
このような構成の支持支柱２を２本同一構成とするものである。
【００２８】
次に、図３を参照して本実施例に係る有孔ボード３付きパーテーション１における構成部品一覧について説明する。
【００２９】
本実施例に係る有孔ボード３付きパーテーション１においては、図３に示すように、前記下部パイプ２１、上部パイプ３１、及び、突っ張り連結具４１の連結構成からなる２本のポールセットと、２本の前記連結ポール５１と、例えば３枚の前記有孔ボード３と、２個構成で下面に滑り止め用のゴムを付けた前記下部固定盤１１と、２個構成で上面に滑り止め用のゴムを付けた前記上部固定盤６１と、２個の前記突っ張り連結具４１における操作領域に着脱させる２個の固定ピン４１ａと、２個の前記突っ張り連結具４１に着脱させる２個の安全ボルト４１ｂと、内径２８ｍｍの２個のホルダー７１と、内径２５ｍｍの１０個のホルダー７１と、６個の前記リング７２と、を用いて前記有孔ボード３付きパーテーション１を組み立てる構成としたものである。
【００３０】
前記各ホルダー７１は、図９等に示すように、各々前記各有孔ボード３の取り付け用の締め付けねじ７１ａを具備している。
【００３１】
次に、図４乃至図８を参照して本実施例に係る有孔ボード３付きパーテーション１における２本の支持支柱２を、例えばオフィスの室内空間の床面８１と天井面８２との間に設置する態様について説明する。
【００３２】
図４は本実施例に係る有孔ボード３付きパーテーション１における前記支持支柱２単体の床面８１、天井面８２間に対する配置基本態様を示すものである。
【００３３】
前記支持支柱２単体の床面８１、天井面８２間に対する配置を行う操作者Ｍは、設置現場において片手で下部パイプ２１を、もう一方の手で前記支持支柱２単体の上部パイプ３１を握り、この支持支柱２を床面８１と垂直になるように立て、前記下部固定盤１１を床面８１に当接させ、また、前記上部固定盤６１を天井面８２に当接させるようにする。
【００３４】
そして、前記突っ張り連結具４１における安全ボルト４１ｂを外した状態で、図５に示すように、前記突っ張り連結具４１における操作領域に設けた固定ピン４１ａを抜き、同じく操作領域に設けたボタン（ワンタッチボタン）４１ｃを指で押して、前記突っ張り連結具４１を突っ張り操作状態とし、前記上部パイプ３１を下部パイプ２１に対して伸縮可能状態とする。
【００３５】
この状態で前記上部パイプ３１を上方に引き上げるようにすると、前記支持支柱２単体を床面８１、天井面８２間に突っ張り構造で配置することができ、この後、ボタン４１ｃに対する指の押圧を解除すると前記突っ張り連結具４１は突っ張り操作解除状態となって、前記上部パイプ３１は下部パイプ２１に対して定位置に連結固定される。
【００３６】
図６は本実施例に係る有孔ボード３付きパーテーション１における支持支柱２単体配置時の設置強度を確保するための突っ張り操作態様を示すものである。
【００３７】
前記操作者Ｍが前記突っ張り連結具４１を突っ張り操作状態として前記支持支柱２単体を床面８１、天井面８２間に配置する際に、すなわち前記下部固定盤１１を床面８１に当接させ、また、前記上部固定盤６１を天井面８２に当接させた際に、前記上部パイプ３１が突っ張り連結具４１の上面から表出する部分に鉛筆９１により線状の印９２を付け、この状態で前記上部パイプ３１を天井面８２に向けて例えば１０〜１５ｍｍ程度押し上げることで、前記支持支柱２単体配置時の設置強度を十分に確保することができる。
【００３８】
なお、前記印９２は配置完了後消しゴムにより消去すればよい。
【００３９】
図７は上述した本実施例に係る有孔ボード３付きパーテーション１における上述したような２本の支持支柱２を天井面８２、床面８１間に所定の間隔で設置した状態を示すものである。
【００４０】
この場合、２本の支持支柱２の間の間隔Ｌは、前記有孔ボード３を横長向きで配置する場合には有孔ボード３の長辺相当寸法とし、前記有孔ボード３を縦長向きで配置する場合には有孔ボード３の短辺相当寸法とするものである。
【００４１】
図８は本実施例に係る有孔ボード３付きパーテーション１における支持支柱２単体を構成する突っ張り連結具４１の突っ張り操作終了時の態様を示すものである。
【００４２】
このとき、安全ボルト４１ｂを突っ張り連結具４１の当初の状態の位置に取り付け、また、固定ピン４１ａを突っ張り連結具４１における当初の状態に戻すものである。
【００４３】
これにより、上部パイプ３１は、下部パイプ２１に対して定位置で強固に連結固定された状態となる。
【００４４】
次に、図９、図１０を参照して、本実施例に係る有孔ボード３付きパーテーション１における設置終了した２本の支持支柱２に対する有孔ボード３の取り付け態様について説明する。
【００４５】
例えば２本の支持支柱２に対して３個の有孔ボード３を取り付ける場合において、最下段の有孔ボード３を取り付ける際には、図９左欄に示すように２本の下部パイプ２１の外周に嵌装した２個のホルダー７１と、２個の突っ張り連結具４１より上側の２本の上部パイプ３１の外周に嵌装した２個のホルダー７１とにわたって前記有孔ボード３を取り付けるが、このとき、２個の突っ張り連結具４１の側方突出部分が前記有孔ボード３の面に接触してしまい支障をきたす状態が生じる。
【００４６】
このような場合は、図９右上欄に示すように、２本の支持支柱２の配置向き変更し、２個の突っ張り連結具４１の側方突出部分が相対向する配置とする。
【００４７】
これにより、図９右下欄に示すように、２個の突っ張り連結具４１の側方突出部分が前記有孔ボード３の面に接触してしまい支障をきたすという状態を解消できる。
【００４８】
なお、中段に配置する有孔ボード３は、前記２本の上部パイプ３１の外周に嵌装した合計４個のホルダー７１及び各締め付けねじ７１ａを用いて、また、最上段に配置する有孔ボード３は、中段に配置する場合と同様にして、前記２本の連結ポール５１の外周に嵌装した合計４個のホルダー７１及び各締め付けねじ７１ａを用いて取り付ける。
【００４９】
図１０は本実施例に係る有孔ボード３付きパーテーション１における設置終了した２本の支持支柱２に対する３枚の横長向きの有孔ボード３の取り付け状態、及び、最下段の有孔ボード３の設置高さ調整可能状態を示すものである。
【００５０】
この場合、最下段の有孔ボード３は、前記下部パイプ２１、上部パイプ３１にまたがって配置されていることから、これら下部パイプ２１、上部パイプ３１の各外周に嵌奏したホルダー７１の位置調節によって、図１０に示すように、最下段の有孔ボード３の床面８１からの最大高さ、最小高さを、例えば、最大高さ１１１ｃｍ、最小高さ９７ｃｍの範囲で任意に調整することができる。
【００５１】
これにより、パーテーションの状態変更や最下段の有孔ボード３に対する上着、マフラー等の物掛け態様の便宜を図ることができる。
【００５２】
なお、前記各リング７２はその位置変更によって前記各ホルダー７１の位置調節の目安として機能する。
【００５３】
図１１は本実施例に係る有孔ボード３付きパーテーション１の変形例である設置終了した２本の支持支柱２に対する３枚の縦長向きの有孔ボード３の取り付け状態を示す概略説明図である。
【００５４】
このような本実施例及び変形例に係る有孔ボード３付きパーテーション１によれば、室内空間のパーテーションを構築する場合において、広幅間隔に設置した２本の支持支柱２にわたって有孔ボード３を横向きワイド型として構築したり、又は狭幅間隔に設置した２本の支持支柱２にわたって縦向きスリム型として構築することができ、室内空間のパーテーション形態の多様化を図ることができる。
【００５５】
図１２は本実施例に係る有孔ボード３付きパーテーション１における支持支柱２単体の取り外し時の突っ張り連結具４１に対する操作態様を示すものである。
【００５６】
すなわち、本実施例の有孔ボード３付きパーテーション１において支持支柱２単体を取り外す場合には、まず、前記各有孔ボード３を取り外し後に、図１２に示すように突っ張り連結具４１の安全ボルト４１ｂを緩め、固定ピン４１ａを抜き取る。
【００５７】
次に、図１３に示すように、上部パイプ３１を片手で持って支えながら他方の手の指でボタン４１ｃを押して突っ張り連結具４１を突っ張り操作状態とし、この後片手で持った上部パイプ３１側を引き下げて、前記上部固定盤６１と天井面８２との当接状態、及び前記下部固定盤１１と床面８１との当接状態を解除する。
【００５８】
そして、フリー状態となった支持支柱２単体をパーテーション領域から除去する。このような取り外し操作を２本の支持支柱２について同様に行う。
【００５９】
図１４は有孔ボード３の具体的使用例を概略写真形態で示すものである。
【００６０】
すなわち、室内空間の一角の天井面８２、床面８１間に、本実施例の有孔ボード３付きパーテーション１を設置し、テーブル１０１、椅子１０２、ＰＣ１０３、更に鉢植え植栽物１０４等を配置するとともに、各有孔ボード３に対してはフック１１０等を利用して着衣上着１１１、バッグ１１２、時計１１３等を懸架するようにしたものである。
【００６１】
このような構成によって、本実施例の有孔ボード３付きパーテーション１により仕切られた室内空間の一角を作業スペース等として有効に利用することが可能となる。
【００６２】
図１１に示す変形例の有孔ボード３付きパーテーション１を採用する場合も同様な効果を発揮させることができる。
【００６３】
次に、本実施例及び変形例に係る有孔ボード３付きパーテーション１の全体及び各構成要素の効果について個別的に説明する。
【００６４】
前記突っ張り構造の２本の支持支柱２における突っ張り連結具４１としては、特許文献１の伸縮調節体と同様な構成からなるワンタッチ式、又は詳細は図示しないがポール回転式で下部パイプ２１に対する上部パイプ３１の摺動位置調整、或いは摺動位置固定を可能に構成した突っ張り構造のものを採用する。
【００６５】
これにより、本実施例の有孔ボード３付きパーテーション１によれば、住環境において、天井面８２と床面８１があれば、２本の支持支柱２を突っ張って設置した上で、２本の支持支柱２に対して有孔ボード３を従来例のように壁に穴を開けず設置することができ、壁に穴を開けるという抵抗感を無くすことができる。
【００６６】
また、本実施例に係る有孔ボード３付きパーテーション１によれば、天井面８２、床面８１への取り付け・取り外しが自在で、更に、有孔ボード３の高さや配置向きの調整も自在であり、縦方向スリム型・横方向ワイド型のどちらの形態でも設置ができ、使用形態の変更の自由度が大きい利点がある。
【００６７】
本実施例に係る有孔ボード３付きパーテーション１におけるホルダー７１は、有孔ボード３を支持支柱２固定するもので、締め付けねじ７１ａを用いて簡略に、かつ、強固に取り付け可能であり，裏面側からの見た目もすっきりするとともに、また、有孔ボード３の高さ調整も自在である。
【００６８】
本実施例に係る有孔ボード３付きパーテーション１におけるリング７２は、このリング７２を下部パイプ２１等の外周に左右均等高さとなるように嵌め、ホルダー７１をリング７２に当接するまで下げることで、容易に有孔ボード３の高さ位置決めが可能となり、これにより、操作者Ｍによる有孔ボード３の支持支柱２への設置作業は極めて簡略容易となる。
【００６９】
本実施例に係る有孔ボード３付きパーテーション１における有孔ボード３の孔３ａを利用することで、市販のフック１１０や図示しないがトレイ等の取り付けも簡便で拡張性を高めることができる。
【００７０】
また、前記有孔ボード３としては、スチール板製のものを採用することもでき、この場合には、フック１１０等に替えて、マグネット盤を用いて前記有孔ボード３の面に紙葉類を張り付けることも可能となり、例えば、市場で主流の合成樹脂板製等のボードではマグネット盤の使用はできないため、これに比較し更に拡張性を高めることができる。
【００７１】
本実施例に係る有孔ボード３付きパーテーション１を床面８１、天井面８２間に設置する際に、例えば何らかの梁等の障害物がある場合には、２本の支持支柱２の間隔を自在に調節したり２本の支持支柱２の配置変更等により容易に対応できる。
【００７２】
なお、従来所定径のワイヤーを矩形状に形成してワイヤーボードとし、このワイヤーボードを用いて室内空間のパーテーションの例を行う例もあるが、このようなワイヤーボードの場合、通常５×５ｃｍ程度の升目のものが主流で、物品をかけることは可能であるが、重量物をかけるとワイヤーが曲がってしまうデメリットがある。また、升目が大きいために、パーテーションとしては向こう側が透けてしまうデメリットがあった。
【００７３】
これに対して、本実施例に係る有孔ボード３付きパーテーション１によれば、有孔ボード３の孔３ａの径が数ｍｍ（例えば孔径５ｍｍ）程度で、向こう側が透けて見えず、かつ、有孔ボード３は頑強で重量物をかけても頑丈であるメリットがある。 
【００７４】
前記突っ張り構造の２本の支持支柱２における突っ張り連結具４１は、下部パイプ２１、上部パイプ３１間に設ける他、上部パイプ３１、連結ポール５１のポール径寸法変更等により、上部パイプ３１、連結ポール５１間に設けることも可能であり、突っ張り連結具４１の配置の自由度、２本の支持支柱２の構築の自由度を高めることができる。
【産業上の利用可能性】
【００７５】
本考案に係る有孔ボード付きパーテーションは、例えば、オフィスビル、工場、船舶内等々、更には住宅等における床面、天井面を有するの各種空間に比較的簡略に構築可能なパーテーション具として、広範に利用可能である。
【符号の説明】
【００７６】
１    有孔ボード付きパーテーション
２    支持支柱
３    有孔ボード
３ａ  孔
１１    下部固定盤
１１ａ  当接部
１１ｂ  パイプ受筒部
２１    下部パイプ
３１    上部パイプ
４１    突っ張り連結具
４１ａ  固定ピン
４１ｂ  安全ボルト
４１ｃ  ボタン
５１    連結ポール
６１    上部固定盤
６１ａ  当接部
６１ｂ  装着部
７１    ホルダー
７１ａ  締め付けねじ
７２    リング
８１    床面
８２    天井面
９１    鉛筆
９２    印
１０１    テーブル
１０２    椅子
１０３    ＰＣ
１０４    植栽物
１１０    フック
１１１    着衣上着
１１２    バッグ
１１３    時計
Ｍ    操作者
【図１】
0003227376.tif 000003
【図２】
0003227376.tif 000004
【図３】
0003227376.tif 000005
【図４】
0003227376.tif 000006
【図５】
0003227376.tif 000007
【図６】
0003227376.tif 000008
【図７】
0003227376.tif 000009
【図８】
0003227376.tif 000010
【図９】
0003227376.tif 000011
【図１０】
0003227376.tif 000012
【図１１】
0003227376.tif 000013
【図１２】
0003227376.tif 000014
【図１３】
0003227376.tif 000015
【図１４】
0003227376.tif 000016
【手続補正書】
【提出日】令和2年5月22日(2020.5.22)
【手続補正１】
【補正対象書類名】実用新案登録請求の範囲
【補正対象項目名】全文
【補正方法】変更
【補正の内容】
【実用新案登録請求の範囲】
【請求項１】
天井と床との間に、
床面に当接させる下部固定盤を備える下部パイプと、
上端面を天井面に当接させる上部固定盤を備える連結ポールと、
前記下部パイプと連結ポール間に配置される上部パイプと、
前記下部パイプと上部パイプ間において各パイプを突っ張り操作状態としつつ突っ張り操作して、前記下部パイプに対する上部パイプの突出長を伸縮調整可能とし、かつ、当該各パイプの突出長の伸縮調整完了後の突っ張り解除操作により、前記下部パイプに対して上部パイプを固定できるように構成して下部パイプと上部パイプ間に配置した突っ張り連結具と、
を各々具備し、
天井と床との間に配置されて、前記突っ張り連結具をもって、各支持支柱自体の長さ調整しつつ天井と床との間の長さ間隔調整を可能とした２本の支持支柱と、
前記２本の支持支柱にわたってネジ止めにより取り付けられて、多数の孔を具備し、当該孔に懸架できるフックを用いて各種物品を懸架可能に構成した有孔ボードと、
を有することを特徴とする有孔ボード付きパーテーション。
【請求項２】
天井と床との間に、
床面に当接させる下部固定盤と、
この下部固定盤に下端側を装着する下部パイプと、
前記下部パイプの上部に配置されるとともに、下端側を前記下部パイプの上部内に摺動可能に嵌装し、上部側を前記下部パイプの上部側から上方に突出させる上部パイプと、
前記下部パイプと上部パイプ間において各パイプを突っ張り操作状態としつつ突っ張り操作して、前記下部パイプに対する上部パイプの突出長を伸縮調整可能とし、かつ、当該各パイプの突出長の伸縮調整完了後の突っ張り解除操作により、前記下部パイプに対して上部パイプを固定できるように構成して下部パイプと上部パイプ間に配置した突っ張り連結具と、
前記上部パイプの上端側に下端側を装着する連結ポールと、
当該連結ポールの上端側に配置されて上端面を天井面に当接させる上部固定盤と、
前記下部パイプ、上部パイプ、連結ポールの各外周に嵌着されて有孔ボードネジ取り付け用の所要数の各ホルダーと、当該各ホルダーの位置決めを行うリングと、
を各々具備し、
天井と床との間に配置されて、前記突っ張り連結具をもって、各支持支柱自体の長さ調整しつつ天井と床との間の長さ間隔調整を可能とし、或いは有孔ボードの設置高さ調整を可能とした２本の支持支柱と、
前記２本の支持支柱にわたってネジ止めにより取り付けられて、多数の孔を具備し、当該孔に懸架できるフックを用いて各種物品を懸架可能に構成した有孔ボードと、
を有することを特徴とする有孔ボード付きパーテーション。
【請求項３】
前記突っ張り連結具は、前記下部パイプと上部パイプ間において各パイプを突っ張り操作状態としつつ突っ張り操作して、前記下部パイプに対する上部パイプの突出長を伸縮調整可能とし、かつ、当該各パイプの突出長の伸縮調整完了後の突っ張り解除操作により、前記下部パイプに対して上部パイプを固定できるように構成されて、当該突っ張り連結具の上・下の孔内に、前記各パイプの上・下端部を装着した後、突っ張り連結具の固定ピンの締着でもって各パイプの上・下端部の間に当該突っ張り連結具を嵌着固定するように構成したものであり、
当該突っ張り連結具は、下部パイプ、上部パイプ間に設ける他、上部パイプの上部側と連結ポールの下部側との間に設けることもできることを特徴とする請求項１又は２に記載の有孔ボード付きパーテーション。
【請求項４】
前記有孔ボードは、金属板製又は木板製で径が数ｍｍの多数の孔を開けたものであることを特徴とする請求項１又は２に記載の有孔ボード付きパーテーション。
【請求項５】
前記ホルダーは、前記下部パイプ、上部パイプ及び連結ポールの各外周に各ホルダーを嵌着しつつ有孔ボード取り付け用の締め付けねじを具備する所要数の円環状で、各ポールの外周に各ホルダーを嵌着した後、締め付けねじでもって前記有孔ボードを前記支持支柱に固定でき、前記有孔ボードを支持支柱に簡易に固定できるとともに、前記有孔ボードを簡易に任意の高さに固定できるように構成したものであることを特徴とする請求項２に記載の有孔ボード付きパーテーション。
【請求項６】
前記２本の支持支柱は、前記各々の突っ張り連結具の突っ張り操作、又は突っ張り解除操作により、当該支持支柱自体の全長、或いは各ポールの床と天井とに対する配置向きの調整も自在であることを特徴とする請求項１又は２に記載の有孔ボード付きパーテーション。
【請求項７】
前記有孔ボードは、多数の孔を設けた平面視長方形状で、広幅間隔に設置した前記２本の支持支柱にわたって孔に挿通したネジ止めにより横向きワイドに取り付けられ、又は狭幅間隔に設置した前記２本の支持支柱にわたって孔に挿通したネジ止めにより縦向きスリムに取り付けられることを特徴とする請求項１又は２に記載の有孔ボード付きパーテーション。
【手続補正２】
【補正対象書類名】明細書
【補正対象項目名】０００８
【補正方法】変更
【補正の内容】
【０００８】
本考案に係る有孔ボード付きパーテーションは、天井と床との間に、床面に当接させる下部固定盤を備える下部パイプと、上端面を天井面に当接させる上部固定盤を備える連結ポールと、前記下部パイプと連結ポール間に配置される上部パイプと、前記下部パイプと上部パイプ間において各パイプを突っ張り操作状態としつつ突っ張り操作して、前記下部パイプに対する上部パイプの突出長を伸縮調整可能とし、かつ、当該各パイプの突出長の伸縮調整完了後の突っ張り解除操作により、前記下部パイプに対して上部パイプを固定できるように構成して下部パイプと上部パイプ間に配置した突っ張り連結具と、を各々具備し、天井と床との間に配置されて、前記突っ張り連結具をもって、各支持支柱自体の長さ調整しつつ天井と床との間の長さ間隔調整を可能とした２本の支持支柱と、前記２本の支持支柱にわたってネジ止めにより取り付けられて、多数の孔を具備し、当該孔に懸架できるフックを用いて各種物品を懸架可能に構成した有孔ボードと、を有することを最も主要な特徴とする。
【手続補正３】
【補正対象書類名】明細書
【補正対象項目名】０００９
【補正方法】変更
【補正の内容】
【０００９】
請求項１記載の考案によれば、前記構成の２本の支持支柱と、多数の孔を具備する有孔ボードとを組み合わせ、室内空間のパーテーション機能を発揮し得るとともに、各種物品の懸架機能を兼備する有孔ボード付きパーテーションを実現し提供することができる。
【手続補正４】
【補正対象書類名】明細書
【補正対象項目名】００１０
【補正方法】変更
【補正の内容】
【００１０】
請求項２記載の考案によれば、天井と床との間に、床面に当接させる下部固定盤と、
この下部固定盤に下端側を装着する下部パイプと、前記下部パイプの上部に配置されるとともに、下端側を前記下部パイプの上部内に摺動可能に嵌装し、上部側を前記下部パイプの上部側から上方に突出させる上部パイプと、前記下部パイプと上部パイプ間において各パイプを突っ張り操作状態としつつ突っ張り操作して、前記下部パイプに対する上部パイプの突出長を伸縮調整可能とし、かつ、当該各パイプの突出長の伸縮調整完了後の突っ張り解除操作により、前記下部パイプに対して上部パイプを固定できるように構成して下部パイプと上部パイプ間に配置した突っ張り連結具と、前記上部パイプの上端側に下端側を装着する連結ポールと、当該連結ポールの上端側に配置されて上端面を天井面に当接させる上部固定盤と、前記下部パイプ、上部パイプ、連結ポールの各外周に嵌着されて有孔ボードネジ取り付け用の所要数の各ホルダーと、当該各ホルダーの位置決めを行うリングと、を各々具備し、天井と床との間に配置されて、前記突っ張り連結具をもって、各支持支柱自体の長さ調整しつつ天井と床との間の長さ間隔調整を可能とし、或いは有孔ボードの設置高さ調整を可能とした２本の支持支柱と、前記２本の支持支柱にわたってネジ止めにより取り付けられて、多数の孔を具備し、当該孔に懸架できるフックを用いて各種物品を懸架可能に構成した有孔ボードと、を有する構成として、前記２本の支持支柱と、有孔ボードとを組み合わせて、室内空間のパーテーション機能を発揮し得るとともに、各種物品の懸架機能を兼備する有孔ボード付きパーテーションを実現し提供することができる。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項３記載の考案によれば、請求項１又は２に記載の考案と同様な効果を奏し、前記突っ張り構造の２本の支持支柱における突っ張り連結具は、下部パイプ、上部パイプ間に設ける他、上部パイプの上部側と連結ポールの下部側との間に設けることも可能であり、突っ張り連結具の配置の自由度、２本の支持支柱２の構築の自由度を高めることができる有孔ボード付きパーテーションを実現し提供することができる。
【手続補正７】
【補正対象書類名】明細書
【補正対象項目名】００１３
【補正方法】変更
【補正の内容】
【００１３】
請求項４記載の考案によれば、請求項１又は２に記載の考案における前記有孔ボードは、金属板製又は木板製で径が数ｍｍの多数の孔を開けたものあることから、支持支柱に対して有孔ボードを従来例のように壁に穴を開けず設置することができ、壁に穴を開けるとい抵抗感を無くすことができるとともに、各種物品の懸架に便利であり、更に、前記有孔ボードとして、スチール板製のものを採用することもでき、この場合には、フック等に替えて、マグネット盤を用いて前記有孔ボードの面に紙葉類を張り付けることも可能な有孔ボード付きパーテーションを実現し提供することができる。
【手続補正８】
【補正対象書類名】明細書
【補正対象項目名】００１４
【補正方法】変更
【補正の内容】
【００１４】
請求項５記載の考案によれば、請求項２記載の考案における前記ホルダーは、前記下部パイプ、上部パイプ及び連結ポールの各外周に各ホルダーを嵌着しつつ有孔ボード取り付け用の締め付けねじを具備する所要数の円環状で、各ポールの外周に各ホルダーを嵌着した後、締め付けねじでもって前記有孔ボードを前記支持支柱に固定できるように構成したものであることから、有孔ボードを支持支柱に簡易に固定できるとともに、有孔ボードを簡易に任意の高さに固定できる有孔ボード付きパーテーションを実現し提供することができる。
【手続補正９】
【補正対象書類名】明細書
【補正対象項目名】００１５
【補正方法】変更
【補正の内容】
【００１５】
請求項６記載の考案によれば、請求項１又は２に記載の考案における前記２本の支持支柱は、各々の突っ張り連結具の突っ張り操作、又は突っ張り解除操作により、当該支持支柱自体の全長、或いは各ポールの床と天井とに対する配置向きの調整も自在であることから、前記２本の支持支柱の組み立て時、配置時の自由度を高めることができる有孔ボード付きパーテーションを実現し提供することができる。
【手続補正１０】
【補正対象書類名】明細書
【補正対象項目名】００１６
【補正方法】変更
【補正の内容】
【００１６】
請求項７記載の考案によれば、請求項１又は２に記載の考案における前記有孔ボードは、多数の孔を設けた平面視長方形状で、広幅間隔に設置した前記２本の支持支柱にわたって孔に挿通したネジ止めにより横向きワイドに取り付けられ、又は狭幅間隔に設置した前記２本の支持支柱にわたって孔に挿通したネジ止めにより縦向きスリムに取り付けられるものであることから、有孔ボード付きパーテーション自体の配置形態の多様化を図ることができる有孔ボード付きパーテーションを実現し提供することができる。
【手続補正１１】
【補正対象書類名】明細書
【補正対象項目名】００１８
【補正方法】変更
【補正の内容】
【００１８】
本考案は、突っ張り構造の支持支柱と有孔ボードとを組み合わせ、室内空間のパーテーション機能を発揮し得るとともに、各種物品の懸架機能を兼備する有孔ボード付きパーテーションを実現し提供するという目的を、天井と床との間に、床面に当接させる下部固定盤を備える下部パイプと、上端面を天井面に当接させる上部固定盤を備える連結ポールと、前記下部パイプと連結ポール間に配置される上部パイプと、前記下部パイプと上部パイプ間において各パイプを突っ張り操作状態としつつ突っ張り操作して、前記下部パイプに対する上部パイプの突出長を伸縮調整可能とし、かつ、当該各パイプの突出長の伸縮調整完了後の突っ張り解除操作により、前記下部パイプに対して上部パイプを固定できるように構成して下部パイプと上部パイプ間に配置した突っ張り連結具と、を各々具備し、天井と床との間に配置されて、前記突っ張り連結具をもって、各支持支柱自体の長さ調整しつつ天井と床との間の長さ間隔調整を可能とした２本の支持支柱と、前記２本の支持支柱にわたってネジ止めにより取り付けられて、多数の孔を具備し、当該孔に懸架できるフックを用いて各種物品を懸架可能に構成した有孔ボードと、を有する構成により実現した。